(57)【要約】【課題】簡単な構成でロッキング機能が高い椅子を提供する。【手段】椅子は座１と背もたれ２とを備えており、背もたれ２は左右の背用フレーム装置４の弾性変形によって後傾動が許容されている。背用フレーム装置４は、座１の左右外側に配置された主部４１と、主部４１の上部後端から延びる上内向き部４３ａ，４４ｂと、主部４１の下端から座１の下方に入り込む下内向き部４３ｂ，４４ｂと、下内向き部４３ｂ，４４ｂから前向きに延びる前向きの端部４３ｃ，４４ｃとを備えている。前向きの端部４３ｃ，４４ｃがベース７に固定されている。背用フレーム装置４の主部４１は側面視で後ろ向き開口の略Ｖ字状に形成されている。背用フレーム装置４は適度の弾性を備えており、このため変形の容易性と剛性とのバランスが取れている。【選択図】図１
2008054707.tif 000002
【特許請求の範囲】
【請求項１】
ベースで支持された座と、後傾動可能な背もたれと、前記ベース又は座の下面に固定された左右一対の背用フレーム装置とを備えており、
前記左右の背用フレーム装置は、前記座の左右外側に配置されていて側面視で後ろ向きに開口した形状の主部を有しており、前記主部の上部後端に、前記背もたれが取り付く上連結部を設けている一方、
前記背用フレーム装置における主部の下部後端には、座の下方に入り込む下連結部が一体に形成されており、前記下連結部は手前側に延びる端部を有しており、前記下連結部の端部が前記ベース又は座に固定されている、
という椅子であって、
前記背用フレーム装置の主部は、前端から後端に向けて上下間隔が徐々に大きくなる略横向きＶ字状に形成されている、
椅子。
【請求項２】
前記背用フレーム装置における主部の前端部は、側面視で円弧状に湾曲している、
請求項１に記載した椅子。
【請求項３】
前記左右の背用フレーム装置はそれぞれ略平行に延びる２本の棒状材製単位フレームで構成されており、前記主部のうち少なくとも上面部の箇所において前記２本の単位フレームは平面視で略平行に延びており、主部のうち上面部を構成する２本の単位フレームに肘当てを取り付けている、
請求項１又は２に記載した椅子。
【請求項４】
前記背もたれは、前面にクッションを張った背インナーシェルと、前記背インナーシェルの裏側に配置された背アウターシェルとから成っており、
他方、前記背用フレーム装置における主部の上部後端には、前記背インナーシェルと背アウターシェルとの間に入り込む上内向き部が一体に折り曲げ形成されており、前記上内向き部を上連結部と成している、
請求項１〜３のうちのいずれかに記載した椅子。
【請求項５】
前記背アウターシェルには、前記背用フレーム装置の上内向き部との干渉を回避するための後ろ向き突出部が左右全長にわたって延びるように曲げ形成されている、
請求項４に記載した椅子。
【発明の詳細な説明】
【技術分野】
【０００１】
本願発明は、背用フレーム装置の弾性変形によって背もたれが後傾動する椅子に関するものである。
【背景技術】
【０００２】
比較的簡易な構造の椅子として、背もたれを棒材やパイプ材から成るフレーム装置に取り付けたものがある。そして、このタイプの椅子において、着座した人のもたれかかりによって背もたれが後傾するロッキング機能を持たせることが行われている。その一例が特許文献１に記載されている。
【０００３】
すなわち特許文献１において、椅子のフレーム装置は、床に載る前後長手の左右の下水平部と、下水平部の前端から上向きに立ち上がった左右の前足部と、左右の前足部の上端から後方に延びる上水平部と、下水平部の後端から立ち上がった左右の後足部とを備えており、左右の上水平部に座が取り付けられている。
【０００４】
また、左右の上水平部の後端は上向きに立ち上がっていて、この左右の上水平部は下横長部にて一体に連結されており、この下横長部が背もたれの下部背面に連結されている。更に、左右の後足部の上端は上横長部で接続されており、この上横長部が背もたれの中途高さ部の背面に連結されている。この特許文献１の椅子では、背もたれの後傾動は、主として後足部が弾性に抗して後傾動することによって実現している。
【０００５】
他方、脚支柱をガスシリンダで構成した回転椅子において、座及び背もたれをフレームで支持した例が特許文献２に記載されている。更に、特許文献３に開示された椅子は、フレーム装置を側面視で後ろ向きに開口した形状と成して、フレーム装置の下端部をベースに固定し、フレーム装置の上端後部に背もたれを取り付けている。
【特許文献１】特公平８−１５４４６号公報
【特許文献２】特表平９−５０２６３１号公報
【特許文献３】日本国登録意匠第３９０６１７号公報
【発明の開示】
【発明が解決しようとする課題】
【０００６】
ロッキング状態での安楽性を向上させるには、背もたれができるだけ大きく後傾動することが有効である。従って、フレーム装置の弾性変形を利用して背もたれをロッキングさせる椅子の場合、フレーム装置をできるだけ大きく変形させることが必要である。しかし、特許文献１の場合、フレーム装置はその後足部が弾性変形するに過ぎないため、背もたれの後傾量は僅かであり、このため、ロッキング状態での快適さを向上させることに限度があった。
【０００７】
また、特許文献２の椅子は、座と背もたれとが全体として前後スライドするに過ぎず、ロッキング機能はあまり期待できないと言える。また、特許文献３の椅子も高いロッキング機能は期待できないと推測される。
【０００８】
本願発明はこのような現状に鑑み成されたもので、主たる目的は、フレーム装置の変形によって背もたれを後傾させる椅子において、フレーム装置の変形の容易性と剛性とのバランスをとることにより、ロッキング性能を向上させることにある。
【課題を解決するための手段】
【０００９】
本願発明の椅子は、ベースで支持された座と、後傾動可能な背もたれと、前記ベース又は座の下面に固定された左右一対の背用フレーム装置とを備えている。前記左右の背用フレーム装置は、前記座の左右外側に配置されていて側面視で後ろ向きに開口した形状の主部を有しており、前記主部の上部後端に、前記背もたれが取り付く上連結部を設けている。また、前記背用フレーム装置における主部の下部後端には、座の下方に入り込む下連結部が一体に形成されており、前記下連結部は手前側に延びる端部を有しており、前記下連結部の端部が前記ベース又は座に固定されている。更に、本願発明の特徴として、前記背用フレーム装置の主部は、前端から後端に向けて上下間隔が徐々に大きくなる略横向きＶ字状に形成されている。
【００１０】
本願発明は請求項２〜５に記載したバリエーションを含んでいる。このうち請求項２の発明では、前記背用フレーム装置における主部の前端部は、側面視で円弧状に湾曲している。
【００１１】
請求項３の発明では、請求項１又は２において、前記左右の背用フレーム装置はそれぞれ略平行に延びる２本の棒状材製単位フレームで構成されており、前記主部のうち少なくとも上面部の箇所において前記２本の単位フレームは平面視で略平行に延びており、主部のうち上面部を構成する２本の単位フレームに肘当てを取り付けている。
【００１２】
請求項４の発明では、請求項１〜３のうちのいずれかにおいて、前記背もたれは、前面にクッションを張った背インナーシェルと、前記背インナーシェルの裏側に配置された背アウターシェルとから成っており、他方、前記背用フレーム装置における主部の上部後端には、前記背インナーシェルと背アウターシェルとの間に入り込む上内向き部が一体に折り曲げ形成されており、前記上内向き部を上連結部と成している。
【００１３】
請求項５の発明では、請求項４において、前記背アウターシェルには、前記背用フレーム装置の上内向き部との干渉を回避するための後ろ向き突出部が左右全長にわたって延びるように曲げ形成されている。
【発明の効果】
【００１４】
本願発明では、ａ．背用フレーム装置の主部は後ろ向きに開口した形状であるため、主部は全体としての長い長さになっている、ｂ．背用フレーム装置の下部を構成する下連結部は、ロッキング時にねじり作用と曲げ作用とを受けて弾性変形し易い、ｃ．背用フレーム装置の下端部を構成する下連結部の端部も、ロッキングに際してねじり作用と曲げ作用を受けて変形し易い、ｄ．下連結部が略前向きの端部を有することにより、主部の長さをより一層長くすることができ、この面からも主部が一層変形しやすくなっている、といった作用上での特徴を持っている。
【００１５】
そして、本願発明では、上記したａ〜ｄの特徴が絡みあって、背用フレーム装置は全体的に変形しやすくなっている。このため、フレーム方式の簡易な椅子でありながら、背もたれを大きく後傾させることができる。その結果、ロッキング状態での使用感を向上できる。
【００１６】
さて、背もたれの後傾角度を大きくするためには背用フレーム装置の変形量が大きいのが好ましいが、あまりに変形しすぎると、強度が低下する虞が生じたり、ロッキング時の身体に対する抵抗（反力）が弱くて使用者に違和感を与えたりする虞がある。これに対して本願発明は、背用フレーム装置の主部が側面視で略Ｖ文字状であることに基因して、過度に変形することが抑制されて使用感に優れていた。
【００１７】
背用フレーム装置の主部が側面視で略Ｖ文字状であることに基因して過度の変形が抑制される理由は、主部の長さが長くなり過ぎることを防止できる点や、ロッキング時のモーメントを主部の各部位に分散させ得る点にあると推測される。請求項２の構成は、背用フレーム装置の主部の前端部に応力が集中することを抑制できて特に好適であった。
【００１８】
請求項３の構成は、背用フレーム装置を肘当ての取り付けに兼用できるため経済的に優れている。請求項４の構成を採用すると、背用フレーム装置の上内向き部は背もたれの背インナーシェルと背アウターシェルとの間に隠れているため美観に優れている。請求項４の下位概念として請求項５の構成を採用すると、背もたれが全体として厚くなることを防止できる利点や、後ろ向き突出部のリブ効果によって背アウターシェルの強度がアップする利点がある。従って、請求項５の発明はより好適であると言える。
【発明を実施するための最良の形態】
【００１９】
次に、本願発明の実施形態を図面に基づいて説明する。
【００２０】
(1).第１実施形態の概要
本実施形態の椅子は回転椅子に適用している。椅子は、一体に連結された座１及び背もたれ２と、これらを支持する脚３と、背もたれ２を後傾動可能に保持するための左右の背用フレーム装置４とを備えている。脚３は、平面視で放射方向に延びる複数本の枝足３ａとガスシリンダからなる脚支柱５とを備えており、枝足３ａの先端にはキャスター６を設けている。脚支柱５の上端には円形のベース７が固着されている。
【００２１】
例えば図５（Ａ）に示すように、座１は、合板（木板）製の座アウターシェル８と、座アウターシェル８の上面に重ねて固定した樹脂製の座インナーシェル９と、座インナーシェル９の上面に張った座クッション１０とで構成されている。他方、背もたれ２は、合板（木板）製の背アウターシェル１１と、その前側に配置された背インナーシェル１２と、背インナーシェル１２の前面に張った背クッション１３とで構成されている。なお、敢えて述べるまでもないがクッション１０，１３はクロス（表皮材）で覆われている。背インナーシェル１２の素材は樹脂と金属とのいずれも採用できるが、強度を確保する必要がある場合は金属製（例えば板金製又はアルミダイキャスト品）を採用するのが好ましい。
【００２２】
座インナーシェル９及び背インナーシェル１２には、アウターシェル８，１１と重なるリブ１４，１５が形成されている。座アウターシェル８と背アウターシェル１１、座インナーシェル９と背インナーシェル１２はそれぞれ別部材として製造されている。そして、図２（Ａ）（Ｂ），図７（Ｄ）に示すように、座アウターシェル８の後部下面に薄金属板製の補強板１６を固定し、補強板１６と背インナーシェル１２とを蝶番１７で相対回動可能に連結している。補強板１６の前端部は、金属板製の押さえ板１８で座アウターシェル８に固定されている。
【００２３】
補強板１６を使用せずに座アウターシェル８と背インナーシェル１２とを蝶番１７で直接に連結しても良い。また、座インナーシェル９と背インナーシェル１２とを蝶番で連結することや、座インナーシェル９と背アウターシェル１１とを蝶番で連結することも可能である。更に、座インナーシェル９と背インナーシェル１２とを樹脂で一体成形することも可能である（この場合は、背もたれ２を屈曲させるためのヒンジ部を形成するのが好ましい。）。
【００２４】
座インナーシェル９と座アウターシェル８、及び背インナーシェル１２と背アウターシェル１１とは、弾性に抗しての変形によって嵌まり合う雌雄一対のスナップ部材によって一体に保持されている。もちろん、ビスのような締結具で固定することも可能である。
【００２５】
座インナーシェル９の後部及び座アウターシェル８の後部は、側面視で緩く湾曲しながら若干の寸法だけ立ち上がっている（座１の立ち上がり部を図５Ａにおいて符号１ａで示している。）。従って、座１の後部で背もたれ２の下部が構成されているとも言えるし、或いは、座１が腰支持部を備えているとも言える。しかし、本明細書では、立ち上がり部１ａも座１の一部に含ませている（これは説明を簡単にするための便宜的なものである。）。
【００２６】
座１と背もたれ２との連結部（すなわち蝶番１７の支軸の箇所）は、おおむね着座した人の腰椎群の下部の当たりの高さになっている。
【００２７】
(2).ベースの詳細・座の取り付け構造
図４，図５（Ａ），図８，図９に示すよう、ベース７は円筒体２１を備えており、この円筒体２１の内部に上板２２，中間板２３，下板２４が配置されている。各板２２，２３，２４は円筒体２１に溶接によって固着されている。各板２２，２３，２４の中心部にはブッシュ２５が溶接によって固着されており、ブッシュ２５に脚支柱５の上端部が嵌着している。
【００２８】
例えば図３，４に示すように、座アウターシェル８の下方には、ベース７の内部に一部が入り込んだ上下長手の左右一対のストッパーロッド２６が配置されている。ストッパーロッド２６の上端には水平状の支持板２８が溶接によって固着されており、支持板２８が座アウターシェル８にビスで固定されている。
【００２９】
また、例えば図４，図８，図１１に示すように、ベース７における下板２４には、ブッシュ２５を左右及び後部から囲う棒材製の座サポート２７が溶接によって固着されている（図４では座サポート２７の上面は中間板２３に重なっているが、実際には、図９に示すように座サポート２７と中間板２３との間には隙間が空いている。）。
【００３０】
座サポート２７には、側面視前傾姿勢でかつ正面視では左右に広がりながら立ち上がった支柱部２７ａが形成されており、支柱部２７ａの先端には左右横向きの水平部２７ｂが一体に形成されている。座サポート２７の水平部２７ｂは保持金具２９によって座アウターシェル８に押さえ保持されている。保持金具２９はカバー３０で覆われている。
【００３１】
前記カバー３０は、座アウターシェル８と水平部２７ｂとの間に嵌まる片持ち梁状の張り出し部３０ａと、保持金具２９の下面に重なるリブ３０ｂとを備えており、図３に矢印Ａで示すように、水平部２７ｂに外側から差し込むことによって取り付けられる。このためビスのような締結具は不要である。
【００３２】
そして、座サポート２７の水平部２７ｂと座アウターシェル８との間にカバー３０の張り出し部３０ａがきっちり差し込まれ、かつ、座サポート２７の水平部２７ｂ状態で下面が保持金具２９の底面に当接している。このため、座サポート２７はガタ付きのない状態で座アウターシェル８に保持されている。
【００３３】
座サポート２７における左右水平部２７ｂの付け根部には、平面視で前向き凸状に湾曲した補助ステー３１が溶接によって固着されている。従って、補助ステー３１によっても座１が支持されている。
【００３４】
前記ストッパーロッド２６の下端は自由端になっており、非着座状態では、ストッパーロッド２６の下端はベース７における中間板２３の上面近くに位置している。そして、座１は座サポート２７の弾性変形に抗して後傾可能であり、座１が後傾するとストッパーロッド２６は下降動し、座１の最大後傾角度は、ストッパーロッド２６がベース７の下板２４に当ることで規制される。
【００３５】
ベース７の上板２２には、ストッパーロッド２６の下降動を許容するための長穴２２ａ（図４参照）が空いている。また、ベース７の中間板２３は、ストッパーロッド２６と干渉しないように左右両端部が切欠かれている。  
【００３６】
座サポート２７における左右水平部２７ｂの付け根部には、平面視で前向き凸状に湾曲した補助ステー３１が溶接によって固着されており、補助ステー３１によっても座１が支持されている。
【００３７】
(3).昇降操作レバーとその取り付け構造
座１の前部の下方には、当該座１を昇降させるための操作レバー３３が配置されている。操作レバー３３は１本の棒材（又はパイプ材）を曲げることで製造されており、全体として平面視前向き凹状（或いは弓なり状）に反った形状になっている。従って、操作レバー３３は、座１の左右コーナー部の下方において上向きに引き操作できる形態になっている。かかる形態を採用しているのは、主として、人が下腿部を座１の下方に入り込ませたときに、下腿部が操作レバー３３に当たることを回避するためである。
【００３８】
次に、操作レバー３３の取り付け構造を図８〜図１０に基づいて説明する。操作レバー３３の付け根箇所は、左右に隔てて平行に延びる前後長手部３３ａと、左右の前後長手部３３ａに相対向するように形成した横長水平部３３ｂとを備えており、平面視でＵ字に近い形態になっている。そして、左右の横長水平部３３ｂに、脚柱５のプッシュバルブ３４を押すための操作片３５が溶接によって固着されており、かつ、左右の横長水平部３３ｂは操作片３５を除いた部分が保持部材３６でベース７の中間板２３の上面に押さえ保持されている。
【００３９】
保持部材３６は操作片３５と干渉しないように左右中間部が切欠かれており、横長水平部３３ｂを押さえる部分は二股状になっている。また、保持部材３６の後端部には、ベース７の中間板２３に形成した長穴３７に嵌まって上向き動不能に引っ掛かる爪３８が形成されており、爪３８を長穴３７の縁に下方から引っ掛けることにより、１本のビス３９によってずれ不能に固定されている。保持部材３６は操作レバー３３の前後長手部３３ａで左右から挟まれており、このため操作レバー３３が横ずれすることはない。
【００４０】
操作レバー３３の左右端部に指を掛けて上向きに引くと、当該操作レバー３３は横長水平部３３ｂを中心にして回動し、すると、操作片３５で脚支柱５のプッシュバルブ３４が押し下げられて、脚支柱（ガスシリンダ）５のロックが解除される。非操作状態で操作レバー３３の前後長手部３３ａがベース７の中間板２３の上面に重なっている。このため、操作レバー３３は、非操作状態で前倒れ不能な状態に保持されている。
【００４１】
(4).背用フレーム装置
次に、背用フレーム装置４について説明する。背用フレーム装置４は座１の左右外側に位置した主部４ａを有しており、主部４ａは、前端を境にして上部を構成する後傾部４ｂと、前端を境にして下部を構成する前傾部４ｃとで構成されており、全体として後ろ向きに開口したＶ字状になっている。
【００４２】
主部４ａを構成する後傾部４ｂと前傾部４ｃとの連続部（すなわち主部４ａの前端部）は側面視で円弧状に湾曲している。また、後傾部４ｂの傾斜の程度が前傾部４ｃの傾斜の程度よりも小さくなっている。これは、後傾部４ｂに肘当て４２を取り付けているためである。また、後傾部４ｂ及び前傾部４ｃとも、相対向する方向に向いて凹状を成すように側面視で緩く湾曲している。
【００４３】
左右の背用フレーム装置４は、それぞれ２本の丸棒材からなる単位フレーム４３，４４で構成されており、両丸棒材４３，４４は全体的にみて略平行に延びている。以下の説明では、２本の単位フレーム４３，４４を区別する必要がある場合は、便宜上、主部４ａでの姿勢を基準にして、座１に近いものを第１単位フレーム４３と呼び、座１から遠いものを第２単位フレーム４４と呼ぶことにする。なお、両単位フレーム４３，４４の素材としては、スチールやステンレス、アルミ等の金属からなる棒材を使用できる。
【００４４】
第１単位フレーム４３及び第２単位フレーム４４は、主部４ａの後端から背インナーシェル１２の背面に回り込む上内向き部４３ａ，４４ａを有している。この場合、第２単位フレーム４４の上内向き部４４ａが上に位置して第１単位フレーム４３の上内向き部４３ａが下に位置しており、左右第２単位フレーム４４の上内向き部４４ａがそれぞれ押さえ部材（軸受け部材）４５によって背インナーシェル１２に押さえ保持されている。押さえ部材４５は背インナーシェル１２にビスで固定されている。第２単位フレーム４４の上内向き部４４ａと押さえ部材４５及び背インナーシェル１２とは、若干ながら相対的に回動し得る。
【００４５】
本実施形態では、左右第２単位フレーム４４の上内向き部４４ａは一体に連続している。従って、左右の第２単位フレーム４４は１本の丸棒材を材料にして製造されている。本実施形態では、左右の上内向き部４４ａが一連にのびているため、背もたれ２の傾動がスムースになる利点がある。
【００４６】
第１単位フレーム４３の上内向き部４３ａは、押さえ部材４５に当接又は密接する長さに設定している。上内向き部４３ａをこのような長さに設定することにより、背用フレーム装置４と背もたれ２との左右位置決めが自動的に行われる。
【００４７】
第１単位フレーム４３の上内向き部４３ａと第２単位フレーム４４の上内向き部４４ａとは溶接等によって一体化しておくのが好ましい。背アウターシェル１１は背インナーシェル１２の背面に重なっている。そこで、単位フレーム４３，４４の上内向き部４３ａ，４４ａ及び押さえ部材４５との干渉を防止するため、背アウターシェル１１には、山形に湾曲した後ろ向き突出部１１ａが曲げ形成されている。後ろ向き突出部１１ａを形成したことによって背アウターシェル１１と背インナーシェル１２との間にトンネル状の空間が空くが、この空間は、図７Ｃ，Ｄに示すキャップ４６で塞ぐことができる。
【００４８】
例えば図３に示すように、第１単位フレーム４３及び第２単位フレーム４４は、主部４ａにおける前傾部４ｃの後端から連続した状態で座１の下方に入り込む左右横長の下内向き部４３ｂ，４４ｂを備えている。下内向き部４３ｂ，４４ｂは共にベース７の後方において座２の下方に入り込んでおり、各下内向き部４３ｂ，４４ｂの先端には更に前向きの端部４３ｃ，４４ｃが一体に繋がっている。そして、前向きの端部４３ｃ，４４ｃがベース７の中間板２３に溶接によって固着されている。本実施形態では、左右横長の下内向き部４３ｂ，４４ｂ及び前向きの端部４３ｃ，４４ｃとで請求項に記載した下連結部が構成されている。
【００４９】
敢えて述べるまでもないが、ベース７の筒体２１は背用フレーム装置４の前向きの端部４３ｃ，４４ｃと干渉しないように切欠かれている。また、図８に示すようにベース７の中間板２３には前向きの端部４３ｃ，４４ｃと平面視で重なる長穴４７及び切欠き部４８が形成されているが、これは、前向きの端部４３ｃ，４４ｃを溶接するに際しての肉盛りを容易ならしめるための措置である。
【００５０】
本実施形態では、第１単位フレーム４３の下内向き部４３ｂ及び前向きの端部４３ｃを第２単位フレーム４４の下内向き部４４ｂ及び前向きの端部４４ｃで外側から囲われた状態になっている。これは、前向きの端部４３ｃ，４４ｃが同じ高さになっているからである。なお、前向きの端部４３ｃ，４４ｃは、高さを変えることで平面視で重なる姿勢と成し、前向きの端部４３ｃ，４４ｃをベース７の側面に固着することが可能である。
【００５１】
第１単位フレーム４３と第２単位フレーム４４とは、主部４ａの後傾部４ｂの箇所において第１単位フレーム４３が低くて第２単位フレーム４４が高くなるように高さを異ならせている。そして、図５Ｂに示すように、第１単位フレーム４３と第２単位フレーム４４とに、正面視で傾斜姿勢の板材４９を溶接によって固着しており、この板材４９に肘当て４２を固定している。肘当て４２は上下二つの部材に分離しており、上下の部材は板材４９に貫通したねじ（図示せず）によって締結されている。
【００５２】
本実施形態では、主部４ａにおいて第１単位フレーム４３が第２単位フレーム４４よりも低くなっており、このため、肘当て４２の上面は正面視で座１に向けて下向き傾斜している。人が肘当て４１に肘を当てるにおいて、腕を左右に広げた姿勢と成すことがあるが、この場合、腕（肘と肩との間の二の腕）は外向きに傾斜した姿勢になっており、このため、図５Ｂに矢印Ａで示すように、肘を肘当て４２の上面に略垂直に当てることができる。従って、肘を安定した状態に保持できる。この点は本実施形態の利点である。
【００５３】
(5).まとめ
着座した人が背もたれ２にもたれかかかると、背もたれ２の上部に大きなモーメントが掛かるため、背もたれ２は、背用フレーム装置４を弾性変形させて、蝶番１７を中心にして大きく後傾する。また、座１は、座サポート２７を弾性変形させて後傾する。
【００５４】
この場合、ａ．背用フレーム装置４は側面視略Ｖ字状で長さが長いため変形し易くなっている、ｂ．背用フレーム装置４の下部に下内向き部４３ｂ，４４ｂが存在するため、下内向き部４３ｂ，４４ｂはその軸心回りにねじられる作用（トーション作用）を受け、このため、背用フレーム装置４は背もたれ２の後傾角度を大きくする方向に大きく変形し易くなっている、ｃ．前向きの端部４３ｃ，４４ｃもねじり作用と曲げ作用とを受けて変形が許容されている、という状態になっており、これらａ〜ｃが相まって背用フレーム装置４は大きく弾性変形する。その結果、背もたれ２を大きく後傾させることができる。
【００５５】
そして、背用フレーム装置４の主部４ａが側面視で略横向き開口Ｖ字状であるため、主部４ａは過度に変形せず、このため、背用フレーム装置４の変形の容易性と剛性とがバランスして、人に快適なロッキング状態を提供できる。
【００５６】
背用フレーム装置４は内外２本の単位フレーム４３，４４からなっているが、両単位フレーム４３，４４は長さが相違すると共に配置状態が高さによって相違するため、両単位フレーム４３，４４の変形の仕方も相違している。このため、両単位フレーム４３，４４は互いに規制し合う状態で変形することになる。つまり、両単位フレーム４３，４４は、一方の変形に対して他方は抵抗として作用する現象が生じている。
【００５７】
すると、２本の単位フレーム４３，４４の弾性変形の総和が背もたれ２の後傾動に対する抵抗になるが、両単位フレーム４３，４４は変形の程度が大きくなればなるほど互いに規制し合うことになり、このため、背もたれ２の後傾角度の増加率よりもフレーム材４３，４４の全体としての弾性復元力の増加率が大きくなり、その結果、背もたれ２は急激に後傾せずに適度の反力を持ってゆっくり後傾することになる。この面からもロッキング時のもたれ心地を向上できる。
【００５８】
背用フレーム装置４の主部４ａは略横向きＶ字状の形状であるため、背用フレーム装置４の主部４ａと座１との間には側面視で前向きに開口した空間が空いている。従って、例えば着座した人が足を広げても背用フレーム装置４が邪魔にならない利点がある。また、背用フレーム装置４の主部４ａは最も目立つ部分であるが、主部４１を横向きＶ字状に形成すると人にシャープな印象を与えるため、デザイン面においても優れていると言える。
【００５９】
なお、本実施形態では座１も後傾するが、座の後傾態様としては、着座した人が背もたれ２にもたれかかることで初めて後傾する態様と、人が着座することで若干ながら後傾動する態様との２つを選択できる。いずれの態様になるかは、座サポート２７の強度（弾性復元力）の設定によって決まる。
【００６０】
(6).第２実施形態
図１３では第２実施形態を示している。この実施形態では、脚３が４本足方式のフレーム構造になっている。ベース７よりも上方の部分は本質的には第１実施形態と同じである。但し、第１実施形態の昇降操作レバー３３は設けていない（第２実施形態ではガスシリンダは備えていないため昇降操作レバーはそもそも必要がない）。
【００６１】
脚３をパイプや棒材から成るフレーム構造と成す場合、従来から様々の形態が提案されている。本願発明は、それら従来のいずれの脚にも適用できる。もとより、新たに創作されるであろう脚にも適用できる。
【００６２】
(7).その他
本願発明は上記の実施形態の他にも具体化できる。例えば背用フレーム装置の主部は、その上部又は下部を水平状の姿勢と成すこともできる（この場合も、主部は全体として後ろ向き開口のＶ字状の形態が保持されている。）。また、背用フレーム装置の主部は、その上部と下部とが例えば下向き凹状に緩く湾曲した形態と成すこともできる。
【００６３】
背用フレーム装置を複数本の単位フレームで構成する場合、単位フレームは３本以上であっても良い。また、背用フレーム装置を複数本の単位フレームで構成することや、背用フレーム装置の下連結部に略前後方向に延びる端部を設けてこれをベース又は座に固定すること、或いは、背用フレーム装置に肘当てを取り付けることは、それぞれ請求項１とは独立してそれ自体が独立した発明たり得る。
【図面の簡単な説明】
【００６４】
【図１】（Ａ）は第１実施形態の椅子を前方から見た斜視図、（Ｂ）は椅子を後ろから見た斜視図である。
【図２】（Ａ）は椅子の平面図、（Ｂ）は椅子の正面図、（Ｃ）は椅子の右側面図である。
【図３】椅子の骨組みを示す平面図である。
【図４】ベースの断面図である。
【図５】（Ａ）は縦断側面図、（Ｂ）は縦断側面図は図５（Ａ）のＢ−Ｂ視断面図である。
【図６】（Ａ）は図５（Ａ）の VIA-VIA視断面図、（Ｂ）は図５（Ａ）の VIB-VIB視断面図である。
【図７】（Ａ）は図２（Ｂ）の VIIA-VIIA視断面図、（Ｂ）はキャップの側面図、（Ｃ）は（Ｂ）のＣ−Ｃ図、（Ｄ）は図２（Ｂ）の VIID-VIID視断面図である。
【図８】図４の VIII-VIII視平断面図である。
【図９】図８の IX-IX視断面図である。
【図１０】（Ａ）は昇降操作レバー用保持部材の平面図、（Ｂ）は（Ａ）のＢ−Ｂ視断面図である。
【図１１】図４の XI-XI視断面図である。
【図１２】（Ａ）は図３の XII-XII視断面図、（Ｂ）はカバーの斜視図である。
【図１３】第２実施形態の椅子の斜視図である。
【符号の説明】
【００６５】
１  座
２  背もたれ
３  脚
４  背用フレーム装置
７  ベース
８  座アウターシェル
９  座インナーシェル
１０  座クッション
１１  背アウターシェル
１１ａ  後ろ向き突出部
１２  背インナーシェル
１３  背クッション
１７  蝶番
４１  背用フレーム装置の主部
４３  インナーフレーム材
４４  アウターフレーム
４３ａ，４４ａ  背用フレーム装置の上内向き部
４３ｂ，４４ｂ  背用フレーム装置の下内向き部
４３ｃ，４４ｃ  背用フレーム装置の前向きの端部
【図１】
2008054707.tif 000003
【図２】
2008054707.tif 000004
【図３】
2008054707.tif 000005
【図４】
2008054707.tif 000006
【図５】
2008054707.tif 000007
【図６】
2008054707.tif 000008
【図７】
2008054707.tif 000009
【図８】
2008054707.tif 000010
【図９】
2008054707.tif 000011
【図１０】
2008054707.tif 000012
【図１１】
2008054707.tif 000013
【図１２】
2008054707.tif 000014
【図１３】
2008054707.tif 000015